(57)【要約】ほぼ平坦な表面を照明するための装置であって、それがその表面を越えて有効光を本質的に放射しない装置はブックライトとして使用するために特に適合している。この装置はハウジング内に含まれた電池で作動される光源を含み、このハウジングに対して透明な光伝導性照明体が光源にきわめて接近して取り付けられ、光をこの照明体を通して伝達する。この装置は透明な照明体を通して見るように照明するために本または他の平坦な表面上に照明体が置かれることができる。この照明体は伝導された光をその下の表面上に偏向するくさび形形状で先細りとなっている。【選択図】図４
2005507144.tif 000002
【特許請求の範囲】
【請求項１】
ほぼ平坦な表面を照明するための装置であって、それがその表面を越えて有効光を本質的に放射しないものにおいて、その装置が：
光源、及び
照明される表面のほぼ上に載る照明体、
を含み、
この照明体が光源からの光を受けて照明される表面上に偏向するような形状をした透明な光伝導性材料を含み、
この照明体が光源からの光を三次元的に照明体中に伝達するために光源を受け入れかつ光源を本質的に取り囲む凹所を構成している、
ことを特徴とする照明装置。
【請求項２】
照明体が先細り形状を含むことを特徴とする請求項１に記載の照明装置。
【請求項３】
照明体がほぼくさび形形状をしていることを特徴とする請求項２に記載の照明装置。
【請求項４】
光源を含みかつ互いに組み立てられた照明体と光源とを支持するハウジングを更に含むことを特徴とする請求項１に記載の照明装置。
【請求項５】
ハウジングと照明体がハウジングと照明体を一緒に固定するための嵌合突起とソケットとを持つことを特徴とする請求項４に記載の照明装置。
【請求項６】
光源を選択的に印加するための電池を更に含むことを特徴とする請求項１に記載の照明装置。
【請求項７】
照明体が他の光の不存在下でも読むための本のページの上に載りかつそれを照明するような寸法と形状をしていることを特徴とする請求項１に記載の照明装置。
【請求項８】
照明装置をそのページに対して上に載る関係で載せるために本に対して係合するための照明体に取り付け可能な接触体を更に含むことを特徴とする請求項７に記載の照明装置。
【請求項９】
照明体が拡大領域を含むことを特徴とする請求項１に記載の照明装置。
【請求項１０】
光源が少なくとも一つの電球を含み、照明体内の凹所が電球を密接的に受け入れるための電球と適合した形状をしていることを特徴とする請求項１に記載の照明装置。
【請求項１１】
光源が少なくとも一つの電球を含み、この電球が光源からの光を拡散するためのつや消しほやを持つことを特徴とする請求項１に記載の照明装置。
【請求項１２】
照明体が光源からの光を拡散するための光源に隣接したテクスチャー化された部分を含むことを特徴とする請求項１に記載の照明装置。
【請求項１３】
ほぼ平坦な表面を照明するための装置であって、それがその表面を越えて有効光を本質的に放射しないものにおいて、その装置が：
光発生手段、及び照明される表面のほぼ上に載る形状をした照明手段、を含み、
この照明手段が光発生手段からの光を受けて照明される表面上に偏向するような形状をした透明な光伝導性手段を含み、
この透明な光伝導性手段が光発生手段からの光を三次元的に光伝導性手段中に伝達するために光発生手段を受け入れかつ光発生手段を本質的に取り囲む凹所を構成している、
ことを特徴とする照明装置。
【請求項１４】
照明手段がほぼ先細り形状を含むことを特徴とする請求項１３に記載の照明装置。
【請求項１５】
照明手段がほぼくさび形形状をしていることを特徴とする請求項１４に記載の照明装置。
【請求項１６】
光発生手段を含みかつ互いに組み立てられた照明手段と光発生手段とを支持するハウジング手段を更に含むことを特徴とする請求項１３に記載の照明装置。
【請求項１７】
ハウジング手段と照明手段がハウジング手段と照明手段を一緒に固定するための嵌合突起とソケットとを持つことを特徴とする請求項１６に記載の照明装置。
【請求項１８】
光発生手段を選択的に印加するための電気供給手段を更に含むことを特徴とする請求項１３に記載の照明装置。
【請求項１９】
照明手段が他の光の不存在下でも読むための本のページの上に載りかつそれを照明するような寸法と形状をしていることを特徴とする請求項１３に記載の照明装置。
【請求項２０】
照明装置をそのページに対して上に載る関係で載せるために本に対して係合するための照明手段に取り付け可能な接触手段を更に含むことを特徴とする請求項１９に記載の照明装置。
【請求項２１】
照明手段の見る手段が拡大領域を含むことを特徴とする請求項１３に記載の照明装置。
【請求項２２】
光発生手段が少なくとも一つの電球を含み、照明手段内の凹所が電球を密接的に受け入れるための電球と適合した形状をしていることを特徴とする請求項１３に記載の照明装置。
【請求項２３】
光発生手段が少なくとも一つの電球を含み、この電球が光発生手段からの光を拡散するためのつや消しほやを持つことを特徴とする請求項１３に記載の照明装置。
【請求項２４】
照明手段が光発生手段からの光を拡散するための光発生手段に隣接したテクスチャー化された部分を含むことを特徴とする請求項１３に記載の照明装置。
【請求項２５】
本のページを照明するための装置であって、それがそのページを越えて有効光を本質的に放射しないものにおいて、その装置が：
光源、
この光源を選択的に印加するための電池、
照明されるページのほぼ上に載るための寸法と形状をした照明体、但し、この照明体は光を受けて照明体中にかつそれを通して導きかつ照明されるそのページ上に光を偏向するためのほぼ先細りくさび形形状の透明な光伝導性材料から形成されている、及び
光源と電池を含むためのかつ照明体を光源に対して光を受けるようにきわめて接近して支持するための照明体に固定されたハウジングを含み、
この照明体が光源からの光を三次元的に照明体中に伝達するために光源を受け入れかつ本質的に取り囲むための凹所を構成していることを特徴とする照明装置。
【請求項２６】
照明装置をそのページに対して上に載る関係で載せるために本に対して係合するための照明体に取り付け可能な接触体を更に含むことを特徴とする請求項２５に記載の照明装置。
【請求項２７】
ハウジングと照明体がハウジングと照明体を一緒に固定するための嵌合突起とソケットとを持つことを特徴とする請求項２５に記載の照明装置。
【請求項２８】
ほぼ平坦な表面を照明するための装置であって、それがその表面を越えて有効光を本質的に放射しないものにおいて、その装置が：
光源、
照明される表面のほぼ上に載るための照明体、但し、この照明体は光源からの光を受けて照明される表面上に偏向するような形状をした透明な光伝導性材料を含む、及び
光源と電池を含むためのかつ照明体を光を受けるように光源にきわめて接近して支持するための照明体に固定されたハウジング、但し、このハウジングと照明体がハウジングと照明体を一緒に固定するための嵌合突起とソケットとを持つ、
を含むことを特徴とする照明装置。
【請求項２９】
本のページを照明するための装置であって、それがそのページを越えて有効光を本質的に放射しないものにおいて、その装置が：
光源、
照明されるページのほぼ上に載る寸法と形状をした照明体、但しこの照明体は光を受けて照明されるページ上に偏向するための透明な光伝導性材料から形成されている、及び
このページに対して照明装置を上に載る関係で載せるために本に対して係合するための照明体に取り付け可能な接触体、
を含むことを特徴とする照明装置。
【発明の詳細な説明】
【０００１】
関連出願の相互参照
これは２００１年１０月２６日出願の同時係属中の“Ｄｅｖｉｃｅ  ｆｏｒ  Ｉｌｌｕｍｉｎａｔｉｎｇ  ａ  Ｇｅｎｅｒａｌｌｙ  Ｆｌａｔ  Ｓｕｒｆａｃｅ”と題する米国特許出願番号１０／０３９６７０の一部継続出願である。
【０００２】
発明の背景
本発明は一般的に携帯用光源及び同様な照明装置に関し、特に本のページのようなほぼ平坦な表面を照明される表面を越える有効光（ｓｉｇｎｉｆｉｃａｎｔ  ｌｉｇｈｔ）の放射を最少としたまたは少なくとも減少させた照明に適合した携帯用照明装置に関する。
【０００３】
携帯用照明装置は周知であり、種々様々の形状と潜在用途を持つ。かかる装置の一形式は一般的にブックライトと呼ばれ、これは読まれる本、雑誌等にそれらのページを照明するようにきわめて接近して取り付けられまたはそうでなければ支持されるのに適合した小さな軽量携帯用発光ランプを本質的に含む。かかるブックライトの代表的例は米国特許４４３２０４２；４５９８３４０；４６８０６８１；５２８０４１６；５４４２５２８；５６９５２７１；５９２１６６４；意匠４１４５７４；６０２２１１９；及び６２１３６１８号に開示されている。典型的には、かかる装置は要するに他人に迷惑をかけまたは悩ますことを最少としまたは避けるために目標光線を読む資料にのみ向けることを意図している。従って、かかるブックライトに対して奨励される一つの用途は、パートナーの睡眠能力を妨げるのを避けるために机上ランプを使用する必要なしにベッド内で読むためである。
【０００４】
かかるブックライトは一般的にかかる目的のためには効果的であるが、既知の装置はなお机上ランプより小さなルーメンのものであるけれども、光はなお拡散されていない態様で放射され、付近の他人をなお悩ますということで迷惑をかける。装置を本や雑誌に取り付けることはかかる装置の小さな寸法と軽量にもかかわらず、またある時には不便でありかつ不格好である。
【０００５】
発明の概要
従って、本発明の目的は上述の既知の携帯用光源及び照明装置の不利を克服するために、読まれる本のページのような表面を越える有効光の放射を最少としたまたは少なくとも減少させたほぼ平坦などのような表面をも照明するための装置を開発することである。
【０００６】
簡単にまとめると、本発明は基本的に光源と照明される表面の上にほぼ載る照明体とを含む照明装置を提供する。照明体は光源からの光を受けてその下の照明される表面上に偏向する形状をした光伝導性材料を含む。
【０００７】
好適実施例において、本発明の照明装置は読むための本のページの上に載り他の光の不存在下でそれを照明する寸法と形状をしている。この目的のため、照明体は光を受けてそれを照明体中にかつ照明体を通して伝導し、かつこの光を照明されるページ上に偏向するための拡大縁からほぼくさび形に先細りとなる透明な光伝導性材料から形成されている。光源を印加するための電池と一緒の光源は光源にきわめて接近して光を受ける照明体の拡大縁に固定されかつそれを支持するハウジング内に含まれる。ハウジングと照明体はそれらを一緒に固定するための嵌合突起とソケットを持つことができる。また照明されるページまたは他の表面に対して上に載る関係で照明装置を載せるために本等に対して係合するための照明体に取り付け可能な接触体（ａｂｕｔｍｅｎｔ）を設けるのが有利である。
【０００８】
好ましくは、光源は一つまたはそれ以上の電球、例えばＬＥＤであることができ、その照明体は好ましくは電球（単数または複数）からの光を三次元的に照明体中にかつ照明体を通して伝達させるために電球を密接的に受けて電球を実質的に取り囲むように電球と適合した形状をした対応した数の凹所を持って形成されている。更に電球がつや消しほやを持つこと、及び電球が受け入れられる照明体の端縁がまた電球からの光を拡散するのを助けるためにテクスチャー化されることが好ましい。
【０００９】
図面の簡略説明
図１は本発明の好適実施例による照明装置の透視図であり、読まれる本のページの上に載りそのページを照明するための使用状態を示す。
【００１０】
図２は図１の照明装置の正面図であり、そのハウジングが部分的に断面で示されている。
【００１１】
図３は図１と２の照明装置の側面図である。
【００１２】
図４は本発明の第二好適実施例による照明装置の透視図であり、そのハウジングが部分的に破断して示されている。
【００１３】
好適実施例の詳細な説明
さて添付図面を、最初に図１を参照するに、ブックライトとして使用するのに特に適合した本発明の好適実施例による照明装置がその全体を１０で示されている。照明装置１０は基本的にハウジング１２を含み、それはハウジング１２から外向きに延びる照明体１４を支持し、また全体を１６で示された、光源を発生するために適した装置を含む。
【００１４】
照明体１４は基本的に光を伝導することのできる材料から形成され、照明されることを意図した物品の上に載る寸法と形状をした、例えば刊行された本の典型的なページに対応する正面図の長方形の透明体を含むと考えられる。既知のように、種々のアクリル系及びポリカーボネート樹脂のような熱可塑性樹脂は光を資料の至る所に伝導する能力を本質的に持ち、従って照明体１４がかかる材料から作られることが考えられかつ好まれるが、本発明はこれらの材料に限定されることを意図しておらず、光を伝導することのできるどのような他の透明材料から作られたどのような照明体も潜在的に利用することができる。有利には、照明体は更に照明体１４内に伝導された光の実質部をその下の照明される本のページ上にまたは他の表面上に偏向させる形状をしている。この目的のために、照明体１４は好ましくは拡大端部１４Ａから照明体１４の対向端の実質的に減少した断面厚の縁１４Ｂに向けて狭くなるように先細りとなるくさび形状に形成される。
【００１５】
ハウジング１２は好ましくは照明体１４の拡大端部１４Ａを受けてそれを例えばねじ及び他の固定手段（図示せず）により固定するために、かつまた拡大端部１４Ａに直ぐ隣接した光源装置１６を含むために実質的に中空である。ハウジング１２は好ましくは照明装置１０の正面表面積の最小部をできるだけコンパクトに占める形状をしているが、添付図面ではハウジング１２は照明装置１０の個々の要素の明確化と理解のためにより概略的にかつより拡大した尺度で示されている。
【００１６】
光源装置１６は光を照明体１４中にかつそれを通して伝導するために可視光を発生することができかつかかる光をハウジング１２内に含まれた照明体１４の拡大端部１４Ａに付与することができる要素のどのような適当な組み合わせも含むことができる。例として、しかし限定としてでなく、光源装置１６は照明体１４の拡大端部１４Ａに直ぐ隣接したハウジング１２内の中心に支持され、かつ蓄電池２０及び手動オンオフスイッチ２２と一般に２４で示された簡単なＤＣ形の電気配線回路により直列に連結された普通のミニチュア電球１８を含むことができる。オンオフスイッチ２２は電球１８の選択的な印加及び失活のために用いられている。
【００１７】
照明装置１０の作動はかくして容易に理解されることができる。電気回路２４を閉じるためにスイッチ２２を手動で作動させると、電池２０が電力を電球１８に供給し、それにより電球１８が印加され可視光を放射する。ハウジング１２は取り囲まれかつ好ましくは不透明材料から作られているので、放射された光はハウジング内に含まれ、照明体１４の拡大端１４Ａに電球１８が直ぐ接近しているため、この光は実質的に照明体１４中にかつそれを通して対向した狭い端縁１４Ｂに向けて伝導される。しかし、照明体１４の先細りのくさび形状のため、伝導された光の実質的量は下向きに偏向され照明体１４の下側から放射される。かくして、図１に示すように、本のページのようなほぼ平坦な表面に対して上に載るような関係で置かれた照明装置１０により、照明体１４内に伝導された光は実質的に直接的に及び主としてその下の表面に付与され、かくして透明体１４を通して照明された表面を容易に見ることができる。
【００１８】
さて図４を参照するに、本発明による照明装置の第二の考えられる実施例が透視図で示され、その全体を１１０で示されている。図１−３の実施例によるように、照明装置１１０は適当な光伝導性熱可塑性樹脂から形成された長方形のくさび形形状の照明体１１４を支持するハウジング１１２を基本的に含む。図４において、照明装置１１０のハウジング１１２は作動可能に内部に支持された光発生装置１１６を見せるために部分的に破断されている。基本的に、光発生装置１１６は横に間隔を置いた配置で一対のミニチュアＬＥＤ型電球１１８、一対の普通の乾電池１２０、及び手動オンオフスイッチ１２２を支持するミニチュア回路板を含む。この実施例では、電球１１８は照明体１１４の直ぐ隣接した拡大端部１１４Ａに形成された対応して間隔を置かれかつ対応した形状をした孔１２５中に直接かつきっちりと突出する。有利には、この態様で、電球１１８は照明体１１４の樹脂材料により完全に取り囲まれ、それによりこの電球により伝達された光は三次元的に、すなわち本体の長手方向の縦方向に、本体の幅方向の横方向に、そして本体の厚さの方向の横断方向に、本体１１４中に効果的に伝導される。次に、照明体１１４内の伝導された光の内部偏向が、図示されたように、照明体１１４の拡大端部１１４Ａに隣接して単に配向されている電球により達成されるものを越えて強化される。更にこの実施例において、各電球１１８の外部ほや１１８Ａは伝達された光を拡散しかつ目立つ筋や光束で光を伝導する傾向を防ぐようにつや消しまたはそうでなければテクスチャー化された表面効果を持つべきであると考えられる。それと共に、照明体１１４の拡大端部１１４Ａの縁、電球受け孔１２５の内部表面、並びに前面及び後面の一部は１２９で示されるようにテクスチャー化されて電球から放射された光の拡散を更に強化することができる。
【００１９】
図４の実施例の照明装置１１０の別の特徴によれば、ハウジング１１２は照明体１１４の拡大端部１１４Ａに隣接した対向する側方縁１１４Ｃを取り囲みかつそれに沿って部分的に突出する側方腕１１２Ａを含む。それと共に、照明体１１４の側縁１１４Ｃは横に突出する突起１１５を持つように形成され、この突起はハウジング１１２の腕１１２Ａに形成された凹んだソケット１１３内にきちんと受け入れられる。照明体１１４の突起１１５のハウジング１１２のソケット状凹所１１３内への嵌合係合はハウジング１１２の照明体１１４との固定を効果的に強化する。加えて、ハウジング１１２の突出腕１１２Ａは腕１１２Ａの前面及び背面側に沿って長手溝１１７を持つような形状をしており、接触装置１２７の対向脚１２７Ａを取り外し可能な方式で嵌合的に受け入れる。腕１１２Ａの所定場所にこのように固定されたとき、接触装置１２７は照明体１１４の側縁１１４Ｃに沿って前方及び後方に突出するフランジを形成し、それが照明装置を照明される本または他の品に対して上に載る関係で保持するように係合する停止突起として機能することができる。
【００２０】
関連当業者は本発明がここに開示されかつ例示されたブックライトの特別の形を越える多数の実施例、用途及び修正が可能であることは容易に認めかつ理解するであろう。基本的に本発明の照明装置１０は照明されかつ見られるその下の表面を越えて伝導された光のどのような有効量も放射されるのを避けることが望ましいところの実質的にどのような利用におけるどのようなほぼ平坦な表面を照明するために使用するのに適した種々の寸法と形状で具体化されることができる。例えば、軍事上及び／または産業上の利用のための代替実施例及び用途が可能であると考えられる。ここに開示された特定のブックライト実施例及び種々の他の実施例の両者に対し、照明体１４がくさび形以外の先細り形状の形であるがその下の表面上に等しく光を偏向することのできるものであるか、または装置が置かれるどのような表面も拡大する凸状または他の適当な形状の形に形成されることもできることは望ましいかもしれない。同様に、ハウジング１２は本のページの上に載る所定の場所に装置を手を用いずに保持することを容易とするために本の上と係合することのできるクリップ状または同様な装置を備えまたはそれを持つように形状付けられることができると考えられる。本発明のこれらの及び他の実施例、応用及び修正はこの発明の範囲及び要旨内であると考えられる。
【００２１】
ブックライトの既知の形及び他の照明装置を越える本発明の利点は容易に明らかとなるであろう。この装置は用いるのが簡単でかつ容易であり、付近の他人を妨げまたは悩ませるのを避けるために放射された光の大部分を直接照明される表面上に効果的に集中し、表面を越える光の放射を最少とする。本発明は放射された光の照明される表面から離れた方向への拡散の不利を受けないので、本発明は従来の光源よりより小さくてかつより低いワット数の電球を利用しながら、従来の装置と同じ位に効果的にまたはそれらより良好に照明することができ、それにより既知の装置とは対照的に増大した電池寿命を実現する。
【００２２】
従って、本発明が広い実用性と応用が可能であることは当業者には容易に理解されるであろう。ここに述べられた以外の本発明の多くの実施例と改造、並びに多くの変更、修正及び均等装置が、本発明の要旨または範囲から逸脱することなく、本発明及びその先の説明から明らかであり、またはそれらにより妥当に示唆されるであろう。従って、本発明がその好適実施例に関してここに詳細に説明されたけれども、この開示は本発明の例示及び例としてのみであり、単にこの発明の完全なかつ可能な開示を提供する目的のためになされたことは理解されるべきである。先の開示は本発明を限定することまたはそうでなけれはどのようなかかる他の実施例、改造、変更、修正及び均等装置も排除することを意図しておらずまたはそう解釈されるべきではなく、本発明はここに添付された請求項及びそれらの均等物によってのみ限定される。
【図面の簡単な説明】
【００２３】
【図１】本発明の好適実施例による照明装置の透視図である。
【図２】図１の照明装置の正面図である。
【図３】図１と２の照明装置の側面図である。
【図４】本発明の第二好適実施例による照明装置の透視図である。
【図１】
2005507144.tif 000003
【図２】
2005507144.tif 000004
【図３】
2005507144.tif 000005
【図４】
2005507144.tif 000006
【国際公開パンフレット】
2005507144.tif 000007
2005507144.tif 000008
2005507144.tif 000009
2005507144.tif 000010
2005507144.tif 000011
2005507144.tif 000012
2005507144.tif 000013
2005507144.tif 000014
2005507144.tif 000015
2005507144.tif 000016
2005507144.tif 000017
2005507144.tif 000018
2005507144.tif 000019
2005507144.tif 000020
2005507144.tif 000021
2005507144.tif 000022
【国際調査報告】
2005507144.tif 000023